(57)【要約】【課題】電極ユニットをハウジングから取り外して完全に分離することが可能で、放電電極を含む電極ユニットの清掃を従来よりも一層容易に行うことができる送風型イオン発生器を提供する。【解決手段】電極ユニット３をハウジング１の吹出口２内で着脱自在に支承する電極ユニット支承部１１を、吹出口２に設ける。電極ユニット支承部１１は、電極ユニット３を、着脱自在に、しかも、吹出口２内に収まる収納位置と吹出口２外へ出る取り出し位置とに回動自在となるように支承する。【選択図】図２
0003124800.tif 000002
【実用新案登録請求の範囲】
【請求項１】
吹出口を有するハウジング内に送風機を設置するとともに、多数の放電電極を電極保持棒に列設した電極ユニットを吹出口内に設置し、放電電極の放電によるイオンを送風により吹出口から吹き出す送風型イオン発生器において、前記電極ユニットを前記吹出口内で着脱自在に支承する電極ユニット支承部を、前記吹出口に設けたことを特徴とする送風型イオン発生器。
【請求項２】
電極ユニット支承部は、電極ユニットを、着脱自在に、しかも、吹出口内に収まる収納位置と吹出口外へ出る取り出し位置とに回動自在となるように支承することを特徴とする請求項１に記載の送風型イオン発生器。
【請求項３】
電極ユニットが、多数の針状放電電極を列設した電極保持棒と、針状放電電極に対するアース電極となるアース電極棒と、軸棒とを平行に枠組みして構成され、電極ユニット支承部が吹出口の両端に設けられ、この電極ユニット支承部には、前記軸棒を嵌合させることによって電極ユニットを着脱自在にかつ回動自在に軸受けする軸受凹部が形成されていることを特徴とする請求項２に記載の送風型イオン発生器。
【考案の詳細な説明】
【技術分野】
【０００１】
本考案は、吹出口を有するハウジング内に送風機を設置するとともに、吹出口に放電電極を配置し、その放電によるイオンを送風により吹出口から吹き出す送風型イオン発生器に関する。
【背景技術】
【０００２】
本出願人は、この種のイオン発生器として、特許文献１（特開２００６−１１２７０７号公報）に開示されているように、放電電極の手清掃が容易に行えるようにしたものを提案している。
【０００３】
このイオン発生器では、吹出口においてハウジングに支承された回動枠に放電電極を支持して電極ユニットとし、その回動枠を回動させることにより、放電電極を、ハウジング内に収納される収納位置と、吹出口の外方へ出る取り出し位置とに切り換え変位できるようになっている。
【０００４】
しかし、電極ユニットは、ハウジングの吹出口の外側へ変位させることができるものの、その回動枠がハウジングに着脱不能に支承されているため、電極ユニットをハウジングから取り外して完全に分離できない。
【特許文献１】特開２００６−１１２７０７号公報
【考案の開示】
【考案が解決しようとする課題】
【０００５】
本考案の課題は、電極ユニットをハウジングから取り外して完全に分離することが可能で、放電電極を含む電極ユニットの清掃を従来よりも一層容易に行うことができる送風型イオン発生器を提供することにある。
【課題を解決するための手段】
【０００６】
本考案は、吹出口を有するハウジング内に送風機を設置するとともに、多数の放電電極を電極保持棒に列設した電極ユニットを吹出口内に設置し、放電電極の放電によるイオンを送風により吹出口から吹き出す送風型イオン発生器において、前記電極ユニットを前記吹出口内で着脱自在に支承する電極ユニット支承部を、前記吹出口に設けたことを特徴とする。
【０００７】
請求項２に係る考案では、電極ユニット支承部が、電極ユニットを、着脱自在に、しかも、吹出口内に収まる収納位置と吹出口外へ出る取り出し位置とに回動自在となるように支承する。
【０００８】
その好ましい具体的形態である請求項３に係る考案では、電極ユニットが、多数の針状放電電極を列設した電極保持棒と、針状放電電極に対するアース電極となるアース電極棒と、軸棒とを平行に枠組みして構成され、電極ユニット支承部が吹出口の両端に設けられ、この電極ユニット支承部には、軸棒を嵌合させることによって電極ユニットを着脱自在にかつ回動自在に軸受けする軸受凹部が形成されている。
【考案の効果】
【０００９】
本考案によれば、電極ユニットをハウジングから取り外して完全に分離できるので、放電電極を含む電極ユニットの清掃を従来よりも一層容易に行うことができる。
【００１０】
請求項２の考案によれば、電極ユニットをハウジングから取り外すことができるのに加え、吹出口の内外に回動させることもできるので、電極ユニットの取り外し操作が容易であるとともに、簡易な清掃で済ませたいときには、電極ユニットを取り外さなくとも、吹出口の外側へ回動させることで、簡単に対応できる。
【００１１】
請求項３の考案によれば、棒材を用いて電極ユニットを構成できるので経済的であるとともに、電極ユニットの着脱を容易に行える。
【考案を実施するための最良の形態】
【００１２】
次に、本考案の実施例を図面に基づいて詳細に説明する。
【実施例】
【００１３】
図１及び図２に示すように、この送風型イオン発生器は、その本体である横長箱形のハウジング１の前面に横長の吹出口２を形成しており、この吹出口２内に設置された電極ユニット３から発生するイオンを、特許文献１に記載のものと同様に、ハウジング１内に設置した左右２台の送風機（図示せず）からの送風により吹き出すようになっている。
【００１４】
電極ユニット３は、全体として、吹出口２内に着脱自在に納まる長さの横長で、その構造は次のとおりである。
【００１５】
電極ユニット３は、図１〜図５に示すように、左右両端の樹脂製リブ４と中間の複数個の樹脂製リブ５とに、金属角棒である電極保持棒６と、金属丸棒である軸棒７と、これより細い金属丸棒である２本のアース電極棒８・８と、同じく金属丸棒である補助棒９とを平行に貫通させて枠組みされ、その全体をハウジング１から完全に分離できるようになっている。左右両端のリブ４には、樹脂製の摘み部４ａが付設されている。
【００１６】
電極保持棒６には、多数本の針状放電電極１０が電極保持棒６の長さ方向（吹出口２の長さ方向）に一定の間隔で植設され、ハウジング１内の高電圧電源から高電圧を印加される。
【００１７】
２本のアース電極棒８・８は、同じ平面で互いに平行であるが、放電電極１０に対して等間隔になるように、電極保持棒６に対しては異なる平面で平行で、断面で見たこれら電極保持棒６と２本のアース電極棒８・８の軸線の位置関係は、電極保持棒６が二等辺三角形の頂点、２本のアース電極棒８・８が二等辺三角形の底辺の両端点となっている。これらアース電極８・８の間隔は、それらの間に指を差し込んで放電電極１０の針先に触れることができないようになっている。軸棒７と２本のアース電極棒８・８と補助棒９とは、同一平面で平行になっている。
【００１８】
一方、吹出口２の左右両端には、左右の電極ユニット支承部１１が設けられている。この電極ユニット支承部１１は、本例では、樹脂片を吹出口２の底面に付設したもので、電極ユニット３の軸棒７を上から嵌合させることができるＵ形の軸受凹部１１ａを形成している。
【００１９】
電極ユニット３は、図１、図３〜図５に示すように、通常の使用状態では、その軸棒７を電極ユニット支承部１１の軸受け凹部１１ａに嵌合させ、電極ユニット３の全体が吹出口２内に納まる起立姿勢とする。このとき、電極ユニット３は、吹出口２の底面で支えられて安定する。多数の放電電極１０は、水平になってその先端（針先）を吹出口２の前方へ指向させ、また、２本のアース電極棒８・８は、放電電極１０の先端より前方で上下に平行となる。左右の摘み部４ａは、吹出口２から突出する。
【００２０】
この状態から、摘み部４ａを摘んで電極ユニット３を吹出口２外へと回動させると、図２、図６及び図７に示すように、電極ユニット３は、その一部分が吹出口２内に残ったまま吹出口２外で転倒姿勢となる。
【００２１】
この状態で電極ユニット３を持ち上げると、軸棒７が電極ユニット支承部１１の軸受け凹部１１ａから簡単に外れるので、図８〜図１０に示すように、電極ユニット３の全体をハウジング１から完全に分離できる。
【００２２】
従って、放電電極１０を含む電極ユニット３の清掃を、それ単体として容易に行うことができる。
【図面の簡単な説明】
【００２３】
【図１】本考案の一実施例の一部分を示し、電極ユニットをハウジングの吹出口内に納まる使用状態とした斜視図である。
【図２】電極ユニットを吹出口外へ倒した状態の斜視図である。
【図３】図１の状態での端面図である。
【図４】同じく平面図である。
【図５】同じく断面図である。
【図６】図２の状態での端面図である。
【図７】同じく断面図である。
【図８】電極ユニットをハウジングから分離した状態での端面図である。
【図９】同じく平面図である。
【図１０】同じく断面図である。
【符号の説明】
【００２４】
１  ハウジング
２  吹出口
３  電極ユニット
４  リブ
４ａ  摘み部
５  リブ
６  電極保持棒
７  軸棒
８  アース電極棒
９  補助棒
１０  放電電極
１１  電極ユニット支承部
１１ａ  軸受凹部
【図１】
0003124800.tif 000003
【図２】
0003124800.tif 000004
【図３】
0003124800.tif 000005
【図４】
0003124800.tif 000006
【図５】
0003124800.tif 000007
【図６】
0003124800.tif 000008
【図７】
0003124800.tif 000009
【図８】
0003124800.tif 000010
【図９】
0003124800.tif 000011
【図１０】
0003124800.tif 000012